Podtech/llm-jp-corpus-v4-ja_patent huggingface dataset:
【手続補正書】
【提出日】平成27年12月24日(2015.12.24)
【手続補正１】
【補正対象書類名】特許請求の範囲
【補正対象項目名】全文
【補正方法】変更
【補正の内容】
【特許請求の範囲】
【請求項１】
眼の疾患、眼の障害、もしくは眼の傷害に冒されているか、またはそれらを発病する危険性がある患者の治療に使用するための医薬組成物であって、
構造：
５’  ｉＢ−ＧＣＣＡＧＡＡＵＧＵＧＧＡＡＣＵＣＣＵ  ３’（センス鎖、配列番号１）
３’  ＣＧＧＵＣＵＵＡＣＡＣＣＵＵＧＡＧＧＡ  ５’（アンチセンス鎖、配列番号２）
を有する二本鎖ＲＮＡ化合物であって、式中、各Ａ、Ｃ、Ｕ、およびＧは、ヌクレオチドであり、各連続したヌクレオチドは、次のヌクレオチドとホスホジエステル結合によって連結され、
各ヌクレオチドは、独立して、非修飾リボヌクレオチド、２’−Ｏ−メチル糖修飾リボヌクレオチド、またはＬ−ＤＮＡヌクレオチドであり、
前記センス鎖は、５’終端から数えて、１、２、３、４、５、６、７、８、９、１０、１１、１２、１３、１４、１５、１６、１７、および１９位のそれぞれに非修飾リボヌクレオチド、１８位にＬ−デオキシシチジン、ならびに５’終端に共有結合している逆位脱塩基デオキシリボースキャップ（ｉＢ）を含み、
前記アンチセンス鎖は、５’終端から数えて、２、４、６、８、１１、１３、１５、１７、および１９位のそれぞれに２’−Ｏ−メチル糖修飾リボヌクレオチド、ならびに１、３、５、７、９、１０、１２、１４、１６、および１８位のそれぞれに非修飾リボヌクレオチドを含む、
二本鎖ＲＮＡ化合物を含んでおり、
前記医薬組成物は、前記化合物が、片眼につき約０．０５ｍｇ〜約１０ｍｇの用量で前記患者の眼に投与されるように使用されるものであり、
二本鎖ＲＮＡ化合物は薬学的に許容される塩の形態である、
医薬組成物。
【請求項２】
前記治療が、前記化合物の複数回（すなわち、２、３、４、５、６回以上）連続投与を含む、請求項１に記載の医薬組成物。
【請求項３】
前記複数回連続投与は、複数回連続する硝子体内（ＩＶＴ）注射を含む、請求項２に記載の医薬組成物。
【請求項４】
前記硝子体内（ＩＶＴ）注射が、６回投与される、請求項３に記載の医薬組成物。
【請求項５】
前記複数回投与が、一定間隔、好ましくは約１カ月または約２ヵ月、で生じる、請求項２〜４のいずれか１項に記載の医薬組成物。
【請求項６】
前記化合物が、約１カ月の一定間隔で６回の連続硝子体内（ＩＶＴ）注射として投与される、請求項１に記載の医薬組成物。
【請求項７】
前記眼の疾患、眼の障害、または眼の傷害は、視野喪失および／または視力欠損を含む、請求項１〜６のいずれか１項に記載の医薬組成物。
【請求項８】
前記眼の疾患、眼の障害、または眼の傷害は、神経変性、上昇した眼内圧、虚血性事象、網膜傷害、または視神経傷害を含む、請求項１〜６のいずれか１項に記載の医薬組成物。
【請求項９】
前記眼の疾患、眼の障害、または眼の傷害が、非動脈炎性前部虚血性視神経症（ＮＡＩＯＮ）である、請求項１〜６のいずれか１項に記載の医薬組成物。
【請求項１０】
前記眼の疾患、眼の障害、または眼の傷害が、緑内障、好ましくは原発開放隅角緑内障、正常眼圧緑内障、原発閉塞隅角緑内障（ＰＡＣＧ）、急性閉塞隅角緑内障（ＡＡＣＧ）、および閉塞隅角緑内障からなる群から選択される原発性緑内障である、請求項１〜６のいずれか１項に記載の医薬組成物。
【請求項１１】
前記化合物が、前記ＮＡＩＯＮ症状の発症から１４日以内に前記患者の眼に投与される、請求項９に記載の医薬組成物。
【請求項１２】
前記化合物が、前記ＮＡＩＯＮ症状の発症から２８日以内に前記患者の眼に投与される、請求項９に記載の医薬組成物。
【請求項１３】
前記薬学的に許容される塩が、ナトリウム塩である、請求項１に記載の医薬組成物。
【請求項１４】
前記医薬組成物は、薬学的に許容される担体を含む液体組成物である、請求項１〜１３のいずれか１項に記載の医薬組成物。
【請求項１５】
前記液体組成物が、単回用量の硝子体内（ＩＶＴ）注射用に調製され、かつ、単回用量のＩＶＴ注射の量が、約２０μｌ〜約２００μｌ、好ましくは約５０μｌ〜約１００μｌの間である、請求項１４に記載の医薬組成物。
【手続補正書】
【提出日】平成28年2月2日(2016.2.2)
【手続補正１】
【補正対象書類名】特許請求の範囲
【補正対象項目名】全文
【補正方法】変更
【補正の内容】
【特許請求の範囲】
【請求項１】
相補的無線周波数（ＲＦ）信号の第１のセットを受信するように構成される第１のドライバと、
相補的ＲＦ信号の第２のセットを受信するように構成される第２のドライバと、
前記第１のドライバに結合される第１の回復回路と、
前記第２のドライバに結合される第２の回復回路と、
前記第１及び第２の回復回路に結合されるブリッジ回路と、
前記第１及び第２の回復回路に結合される出力回路と、
前記第１のドライバに結合される第１の相殺回路と、
前記第２のドライバに結合される第２の相殺回路と、
を含む装置であって、
前記第１及び第２の回復回路が第１及び第２のインダクタ・キャパシタ（ＬＣ）回路を含み、前記第１の回復回路と前記第２の回復回路と前記ブリッジ回路とが同相インピーダンスと差動インピーダンスとを提供し、前記同相インピーダンスが前記差動インピーダンスより低く、
前記第１及び第２の相殺回路がピーク効率を増大させる、装置。
【請求項２】
請求項１に記載の装置であって、
前記ブリッジ回路が前記第１及び第２の回復回路の間に結合されるインダクタを含む、装置。
【請求項３】
請求項２に記載の装置であって、
前記ＲＦパルスの第１のセットからの連続するパルスの間に、及び前記ＲＦパルスの第２のセットからの連続するパルスの間に、フリーフライ（free-fly）インタバルがあり、前記第１及び第２の相殺回路の少なくとも１つが各フリーフライインタバルの間に高調波回復を提供するように構成される、装置。
【請求項４】
請求項３に記載の装置であって、
前記第１及び第２の相殺回路が第３及び第４のＬＣ回路を含む、装置。
【請求項５】
請求項４に記載の装置であって、
前記出力回路がコンバイナを含む、装置。
【請求項６】
入力信号を受信するように構成され、且つ、相補的ＲＦ信号の複数のセットを生成するように構成される信号生成器と、
前記信号生成器に結合される複数のドライバであって、各ドライバが前記相補的ＲＦ信号のセットのうち少なくとも１つを受け取るように構成される、前記複数のドライバと、
各々が前記ドライバの少なくとも１つに結合される、複数の回復回路と、
前記回復回路の各々に結合されるブリッジ回路と、
各回復ネットワークに結合される出力回路と、
複数の相殺回路であって、各々が前記ドライバの少なくとも１つに結合され、ピーク効率を増大させる、前記複数の相殺回路と、
を含む装置であって、
前記複数の回復回路と前記ブリッジ回路とが同相インピーダンスと差動インピーダンスとを提供し、前記同相インピーダンスが前記差動インピーダンスより低く、
各回復回路がＬＣ回路を含む、装置。
【請求項７】
請求項６に記載の装置であって、
前記ブリッジ回路が前記複数の回復回路の間に結合されるインダクタを含む、装置。
【請求項８】
請求項７に記載の装置であって、
ＲＦパルスの各セットからの連続するパルスの間にフリーフライインタバルがあり、前記複数の相殺回路の少なくとも１つが各フリーフライインタバルの間に高調波回復を提供するように構成される、装置。
【請求項９】
請求項８に記載の装置であって、
前記出力回路がコンバイナを含む、装置。
【請求項１０】
装置であって、
入力信号を受信するように構成され、且つ、第１、第２、第３及び第４のＲＦ信号を生成するように構成される信号生成器であって、前記入力信号が可変エンベロープを有し、前記第１及び第２のＲＦ信号が相補的であり、前記第３及び第４のＲＦ信号が相補的であり、前記第１、第２、第３、及び第４のＲＦ信号の連続するパルスの間にフリーフライインタバルがある、前記信号生成器と、
第１のドライバであって、
第１の受動電極と第２の受動電極と制御電極とを有する第１のトランジスタであって、前記第１のトランジスタの前記制御電極が前記第１のＲＦ信号を受け取るように前記信号生成器に結合される、前記第１のトランジスタと、
第１の受動電極と第２の受動電極と制御電極とを有する第２のトランジスタであって、前記第２のトランジスタの前記制御電極が前記第２のＲＦ信号を受け取るように前記信号生成器に結合され、前記第２のトランジスタの前記第１の受動電極が第１のノードにおいて前記第１のトランジスタの前記第２の受動電極に結合される、前記第２のトランジスタと、
を有する、前記第１のドライバと、
第２のドライバであって、
第１の受動電極と第２の受動電極と制御電極とを有する第３のトランジスタであって、前記第３のトランジスタの前記制御電極が前記第３のＲＦ信号を受け取るように前記信号生成器に結合される、前記第３のトランジスタと、
第１の受動電極と第２の受動電極と制御電極とを有する第４のトランジスタであって、前記第４のトランジスタの前記制御電極が前記第４のＲＦ信号を受け取るように前記信号生成器に結合され、前記第４のトランジスタの前記第１の受動電極が第２のノードにおいて前記第３のトランジスタの前記第２の受動電極に結合される、前記第４のトランジスタと、
を有する、前記第２のドライバと、
前記第１のノードに結合される第１の回復回路と、
前記第２のノードに結合される第２の回復回路と、
第３及び第４のノードにおいてそれぞれ前記第１及び第２の回復回路に結合される出力回路と、
第３及び第４のノードに結合されるブリッジ回路と、
を含み、
前記第１の回復回路と前記第２の回復回路と前記ブリッジ回路とが同相インピーダンスと差動インピーダンスとを提供し、前記同相インピーダンスが前記差動インピーダンスより低い、装置。
【請求項１１】
請求項１０に記載の装置であって、
前記第１及び第３のトランジスタがそれぞれ第１及び第２のＰＭＯＳトランジスタを含み、前記第２及び第４のトランジスタがそれぞれ第１及び第２のＮＭＯＳトランジスタを含む、装置。
【請求項１２】
請求項１１に記載の装置であって、
前記ブリッジ回路が第３及び第４のノードに結合されるインダクタを更に含む、装置。
【請求項１３】
請求項１２に記載の装置であって、
前記インダクタが第１のインダクタを含み、
前記第１の回復回路が、前記第１及び第３のノードの間に結合される第２のインダクタと、前記第１及び第３のノードの間に結合される第１のキャパシタとを含み、
前記第２の回復回路が、前記第２及び第４のノードの間に結合される第３のインダクタと、前記第２及び第４のノードの間に結合される第２のキャパシタとを含む、装置。
【請求項１４】
請求項１３に記載の装置であって、
前記第１のノードに結合される第１の相殺回路と、
前記第２のノードに結合される第２の相殺回路と、
を更に含む、装置。
【請求項１５】
請求項１４に記載の装置であって、
前記第１の相殺回路が互いに直列に結合される第３のキャパシタと第４のインダクタとを含み、前記第２の相殺回路が互いに直列に結合される第４のキャパシタと第５のインダクタとを含む、装置。
【請求項１６】
請求項１５に記載の装置であって、
前記出力回路がコンバイナを含む、装置。
【手続補正書】
【提出日】平成27年11月16日(2015.11.16)
【手続補正１】
【補正対象書類名】特許請求の範囲
【補正対象項目名】全文
【補正方法】変更
【補正の内容】
【特許請求の範囲】
【請求項１】
パッチであって、
第１の主表面と、前記第１の主表面と反対側の第２の主表面とを有する裏材と、
前記裏材の第２の主表面に結合される肌接触接着剤と、を有する、パッチと、
剥離ライナであって、第１の主表面と、前記第１の主表面と反対側の第２の主表面と、ヒンジによって分離される第１の部分及び第２の部分とを備え、少なくとも前記第１の主表面は、前記パッチの肌接触接着剤に対する剥離特性を示すように構成され、前記第１の部分は、前記剥離ライナが前記ヒンジに折り畳まれるときに、前記パッチの裏材の第１の主表面に重なるように配置され、前記第２の部分は、前記裏材の第２の主表面と前記パッチの肌接触接着剤の少なくとも一方の下に位置するように、配置される、剥離ライナと、
を備える、粘着パッチ組立体であって、
前記剥離ライナの第１の主表面は、前記パッチが前記剥離ライナの第１の部分と第２の部分との間に位置するときに、前記パッチに対向するように配置され、前記剥離ライナの第１の主表面の剥離特性が、前記剥離ライナの第１の主表面と同一の広がりをもつ、粘着パッチ組立体。
【請求項２】
粘着パッチ組立体を作製する方法であって、前記方法が
裏材と、前記裏材に結合する肌接触接着剤とを含むパッチを提供する工程と、
第１の主表面と、前記第１の主表面の反対側の第２の主表面とを含み、第１の部分と第２の部分とを有する剥離ライナであって、少なくとも前記第１の主表面は、前記パッチの肌接触接着剤に対する剥離特性を示すように構成され、前記第１の部分と前記第２の部分の各々が、前記パッチを収容するように寸法決めされており、前記剥離ライナの第１の主表面の剥離特性が、前記剥離ライナの第１の主表面と同一の広がりをもつ、剥離ライナを提供する工程と、
前記パッチが前記剥離ライナの第２の部分の上に位置し、前記剥離ライナの第１の部分には前記パッチが存在しないように、前記パッチを前記剥離ライナに配置する工程と、
前記第１の部分と前記第２の部分との間に位置するヒンジの周りで前記剥離ライナを折り畳んで、前記パッチが前記剥離ライナの第１の部分と第２の部分との間に位置するようにし、粘着パッチ組立体を形成する工程と、を含む、方法。
【手続補正書】
【提出日】平成28年1月19日(2016.1.19)
【手続補正１】
【補正対象書類名】特許請求の範囲
【補正対象項目名】請求項１６
【補正方法】変更
【補正の内容】
【請求項１６】
請求項１記載の装置であって、長尺プローブが長手方向に延びる第１プローブアーム及び第２プローブアームを含み、第１プローブアームのリンクは、第２プローブアームのリンクの外側幅より大きい内側幅を有する開口を有し、第２プローブアームのリンクは、第１プローブアームのリンクの開口を通って延び、また第１プローブアームのリンクの開口に関する長手方向に動作可能である、装置。
【手続補正書】
【提出日】平成28年1月21日(2016.1.21)
【手続補正１】
【補正対象書類名】特許請求の範囲
【補正対象項目名】全文
【補正方法】変更
【補正の内容】
【特許請求の範囲】
【請求項１】
組成物全体に対して、０．５〜２０重量％のフラボノイド混合物、２〜２０重量％の濃縮タンニン又はプロアントシアニジン、及び０．３〜６０重量％のγアミノ酪酸（ＧＡＢＡ）を含むことを特徴とする、尿失禁及び／又は遺尿の処置のための医薬組成物。
【請求項２】
請求項１に記載の組成物において、更に少なくとも５０％のホップ抽出物を含むことを特徴とする組成物。
【請求項３】
請求項１に記載の組成物において、前記フラボノイドがルチンであることを特徴とする組成物。
【請求項４】
請求項１に記載の組成物において、更にビタミンＥ及びＢを含むことを特徴とする組成物。
【請求項５】
請求項４に記載の組成物において、ビタミンＢがコリンであることを特徴とする組成物。
【請求項６】
請求項２に記載の組成物において、前記組成物の前記異なる構成成分の前記個々の百分率の値が、前記組成物全体で１００％を決して超えないような重量百分率で表される以下の構成成分：
−  ５０〜７５％のホップ抽出物、
−  ２％のホップ精油抽出物、
−  ２０〜５０％のスィートアーモンドオイル、
−  ０．１〜０．５％の酢酸トコフェロール、及び
−  ０．１〜０．２％のパルミチン酸アスコルビル
を含むことを特徴とする組成物。
【請求項７】
請求項１乃至６の何れか一項に記載の組成物において、吸入可能液体、パッチ、錠剤、カプセル剤、注入物質及び／又はゲルの形態で投与されることを特徴とする組成物。
【請求項８】
請求項１乃至７の何れか一項に記載の組成物において、乳幼児集団における用量が、５０ｍｇ／ｋｇ対象体重であることを特徴とする組成物。
【請求項９】
請求項１乃至８の何れか一項に記載の組成物において、成人における前記用量が、成人対象に関して１０ｍｇ〜４，０００ｍｇ／日であることを特徴とする組成物。
【請求項１０】
請求項９に記載の組成物において、成人における前記投与間隔が、１００ｍｇを１日３回〜１，０００ｍｇを１日４回であることを特徴とする組成物。
【請求項１１】
請求項１乃至７の何れか一項に記載の組成物を含むことを特徴とする、尿失禁及び／又は遺尿の処置のための医薬製品。
【請求項１２】
尿禁欲（ｕｒｉｎａｒｙ  ｃｏｎｔｉｎｅｎｃｅ）及び／又は遺尿の処置に使用するための、請求項１乃至１０の何れか一項に記載の組成物。
【請求項１３】
尿失禁及び／又は幼児遺尿の処置に使用するための、請求項１２に記載の組成物。
【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
ミルガラス（ｍｉｌｌ  ｇｌａｓｓ）被覆電磁鋼上の鉄マウンド（ｉｒｏｎ  ｍｏｕｎｄ）欠陥の高さを減少させる方法であって、
ミルガラス被覆電磁鋼の表面の少なくとも一部分を、前記表面の前記少なくとも一部分上の鉄マウンド欠陥の平均高さを前記ミルガラス被覆の厚さの０パーセントを超え１５０パーセントまでの範囲の平均高さに減少させるのに足る接触時間にわたって、酸性溶液と接触させることと、ここで、酸性溶液は有機酸を含み、
前記酸に接触させたミルガラス被覆電磁鋼を水ですすぎ洗いすることと、
を含み、前記接触させることは、前記ミルガラス被覆を効果的には除去しない、前記方法。
【請求項２】
前記接触させることは、前記ミルガラス被覆電磁鋼の平均Ｆｒａｎｋｌｉｎ試験を増加させない、請求項１に記載の方法。
【請求項３】
前記酸性溶液は、酸性水溶液を含む、請求項１に記載の方法。
【請求項４】
前記酸性溶液は、カルボン酸を含む、請求項１に記載の方法。
【請求項５】
前記酸性溶液は、多官能性カルボン酸を含む、請求項１に記載の方法。
【請求項６】
前記酸性溶液は、トリカルボン酸を含む、請求項１に記載の方法。
【請求項７】
前記酸性溶液は、クエン酸を含む、請求項１に記載の方法。
【請求項８】
前記酸性溶液は、４重量パーセント〜２０重量パーセントのクエン酸を含む、請求項７に記載の方法。
【請求項９】
前記酸性溶液は１０パーセント〜１５パーセントのクエン酸を含み、接触時間が１０秒〜５分の範囲である、請求項７に記載の方法。
【請求項１０】
前記接触時間が、５秒〜２０秒の範囲である、請求項１に記載の方法。
【請求項１１】
前記電磁鋼が、方向性電磁鋼である、請求項１に記載の方法。
【請求項１２】
前記電磁鋼の上のミルガラス被覆が、フォルステライト酸化物ミルガラス被覆を含む、請求項１に記載の方法。
【請求項１３】
ミルガラス被覆方向性電磁鋼上の鉄マウンド欠陥高さを減少させる方法であって、
ミルガラス被覆方向性電磁鋼を提供することと、
ミルガラス被覆方向性電磁鋼の表面の少なくとも一部分を、前記表面の前記少なくとも一部分の上の鉄マウンド欠陥の平均高さを前記ミルガラス被覆の厚さの０パーセントを超え１５０パーセントまでのの平均高さに減少させるのに足る接触時間にわたって、酸性溶液と接触させることと、ここで、酸性溶液は有機酸を含み
前記酸に接触させたミルガラス被覆方向性電磁鋼を水ですすぎ洗いすることと、
を含み、前記接触させることは、前記ミルガラス被覆を効果的には除去しない、前記方法。
【請求項１４】
前記接触させることは、前記ミルガラス被覆方向性電磁鋼の平均Ｆｒａｎｋｌｉｎ試験値を増加させない、請求項１３に記載の方法。
【請求項１５】
ミルガラス被覆電磁鋼上の鉄マウンド欠陥高さを減少させる方法であって、
ミルガラス被覆電磁鋼の表面の少なくとも一部分を、５秒〜５分の範囲の酸処理時間にわたって４重量パーセント〜２０重量パーセントのカルボン酸溶液で酸処理することと、
前記酸処理されたミルガラス被覆電磁鋼を水ですすぎ洗いすることと、
前記すすぎ洗いされて酸処理されたミルガラス被覆電磁鋼を乾燥させることと、
を含み、前記酸処理は、前記ミルガラス被覆を効果的には除去しない、前記方法。
【請求項１６】
前記カルボン酸溶液は、クエン酸を含む、請求項１５に記載の方法。
【請求項１７】
前記電磁鋼が、方向性電磁鋼である、請求項１５に記載の方法。
【請求項１８】
電気変圧器鉄心を形成する方法であって、
請求項１に記載の方法に従って処理された複数の方向性電磁鋼帯を提供することと、
前記複数の電磁鋼帯を積み重ねて、ＥＩ変圧器鉄心を形成することと、
を含む、前記方法。
【請求項１９】
電気変圧器鉄心を形成する方法であって、
請求項１に記載の方法に従って処理された複数の方向性電磁鋼帯を提供することと、
前記複数の電磁鋼帯を巻いて、巻き変圧器鉄心を形成することと、
を含む、前記方法。
【請求項２０】
酸性溶液は４重量パーセント〜２０重量パーセントのクエン酸を含み、接触時間は５秒〜５分の範囲である、請求項１３に記載の方法。
【請求項２１】
フォルステライト酸化物ミルガラス被覆方向性電磁鋼上の鉄マウンド欠陥高さを減少させる方法であって、
フォルステライト酸化物ミルガラス被覆方向性電磁鋼を提供することと、
フォルステライト酸化物ミルガラス被覆方向性電磁鋼の表面の少なくとも一部分を、接触時間にわたってクエン酸水溶液と接触させることと、ここで、酸性水溶液は４〜２０重量パーセントのクエン酸を含み
前記接触時間は５秒〜５分の範囲であり
前記酸に接触させたフォルステライト酸化物ミルガラス被覆方向性電磁鋼を水ですすぎ洗いすることと、
を含み、前記接触させることは、前記フォルステライト酸化物ミルガラス被覆材を効果的には除去しない、前記方法。
【請求項２２】
前記酸性溶液は１０重量パーセント〜１５重量パーセントのクエン酸を含み、接触時間は１０秒〜５分の範囲である、請求項２１に記載の方法。
【手続補正書】
【提出日】平成28年2月12日(2016.2.12)
【手続補正１】
【補正対象書類名】特許請求の範囲
【補正対象項目名】全文
【補正方法】変更
【補正の内容】
【特許請求の範囲】
【請求項１】
金属が金又は銀である部分的に解重合したグリコサミノグリカン金属塩の調製方法であって、以下の工程：
ａ）金属が金又は銀とは異なる高分子量グリコサミノグリカン金属塩を、過マンガン酸カリウムである解重合剤を用いて解重合する工程と；
ａ’）工程ａ）で得られた生成物を、水酸化ナトリウムである解重合剤を用いて解重合する工程と；
ａ’’）工程ａ’）で得られた生成物を、過酸化水素である解重合剤を用いて解重合する工程と；
ｂ）前の工程で得られた生成物を過酸化水素を用いて漂白する工程と；
ｃ）金又は銀の供給源を使用することにより、前の工程で得られた生成物を金又は銀について金属イオン交換する工程と
を含む調製方法。
【請求項２】
工程ａ）の高分子量グリコサミノグリカン金属塩が、１００００〜５００００ダルトンからなる分子量を有するコンドロイチン硫酸ナトリウム、及び５００００〜２５０００００ダルトンからなる分子量を有するヒアルロン酸ナトリウムからなる群から選択される、請求項１に記載の方法。
【請求項３】
過マンガン酸カリウムの量が、高分子量グリコサミノグリカン金属塩の重量の５〜３０重量％からなる、請求項１又は２に記載の方法。
【請求項４】
過マンガン酸カリウムを用いた解重合が、７〜１０からなるｐＨ、６０〜９５℃からなる温度及び０．５〜２時間からなる期間で行われる、請求項１から３の何れか一項に記載の方法。
【請求項５】
水酸化ナトリウムを用いた解重合が、高分子量グリコサミノグリカン金属塩の重量の１０〜２０重量％からなる量で塩化ナトリウムの存在下で行われる、請求項１から４の何れか一項に記載の方法。
【請求項６】
水酸化ナトリウムを用いた解重合が、３５〜５５℃からなる温度、８〜１１からなるｐＨ、及び６〜１５時間からなる期間で行われる、請求項１から５の何れか一項に記載の方法。
【請求項７】
過酸化水素を用いた解重合工程で、過酸化水素の量が、高分子量グリコサミノグリカン金属塩の重量の５〜２５重量％からなる、請求項１から６の何れか一項に記載の方法。
【請求項８】
過酸化水素を用いた解重合が、２０〜３５℃からなる温度及び９〜１１からなるｐＨで行われる、請求項１から７の何れか一項に記載の方法。
【請求項９】
工程ｂ）の過酸化水素の量が、高分子量グリコサミノグリカン金属塩の重量の４５〜６０重量％で構成され、反応が５．０〜７．５からなるｐＨで行われる、請求項１から８の何れか一項に記載の方法。
【請求項１０】
工程ｃ）の金又は銀の供給源の量が、高分子量グリコサミノグリカン金属塩に関して化学量論的である、請求項１から９の何れか一項に記載の方法。
【請求項１１】
請求項１から１０の何れか一項に記載の調製方法により得られる、金属が金又は銀である部分的に解重合したグリコサミノグリカン金属塩。
【請求項１２】
金属が銀である、請求項１１に記載のグリコサミノグリカン金属塩。
【請求項１３】
金属が金である、請求項１１に記載のグリコサミノグリカン金属塩。
【請求項１４】
グリコサミノグリカンが、コンドロイチン硫酸、ヒアルロン酸、ヘパリン、ヘパラン硫酸、ケラタン硫酸及びデルマタン硫酸からなる群から選択される、請求項１１から１３の何れか一項に記載のグリコサミノグリカン金属塩。
【請求項１５】
金属が銀であり、グリコサミノグリカンがコンドロイチン硫酸及びヒアルロン酸からなる群から選択される、請求項１１に記載のグリコサミノグリカン金属塩。
【請求項１６】
金属が金であり、グリコサミノグリカンがコンドロイチン硫酸及びヒアルロン酸からなる群から選択される、請求項１１に記載のグリコサミノグリカン金属塩。
【請求項１７】
１種又は複数の薬学的に又は化粧学的に許容可能な賦形剤又は担体と共に請求項１１から１６の何れか一項に記載の部分的に解重合したグリコサミノグリカン金属塩の有効量を含む、薬学的又は化粧品用組成物。
【請求項１８】
経口組成物である、請求項１７に記載の薬学的又は化粧品用組成物。
【請求項１９】
局所組成物である、請求項１７に記載の薬学的又は化粧品用組成物。
【請求項２０】
粉末又はヒドロゲル形態の、請求項１９に記載の局所薬学的又は化粧品用組成物。
【請求項２１】
アルギニンを更に含む、請求項１７から２０の何れか一項に記載の薬学的又は化粧品用組成物。
【請求項２２】
創傷、瘢痕及び熱傷の治療のための医薬の調製のための、請求項１１から１６の何れか一項に記載の部分的に解重合したグリコサミノグリカン金属塩の使用。
【請求項２３】
皮膚の微生物感染症及び炎症性プロセスの治療及び／又は予防のための医薬の調製のための、請求項１１から１６の何れか一項に記載の部分的に解重合したグリコサミノグリカン金属塩の使用。
【請求項２４】
皮膚の炎症性プロセスがざ瘡又は乾癬である、請求項２３に記載の使用。
【請求項２５】
皮膚ケアのための、請求項１９から２１の何れか一項に記載の局所化粧品用組成物の使用。
【請求項２６】
皮膚ケアが、次の症状：肌荒れ、カサカサ肌、つっぱり、皮膚の乾燥、あかぎれ、弾力欠如及び老化の少なくとも１つの改善を含む、請求項２５に記載の使用。
【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
水性懸濁液内の分散相中で、疎水性保護基を有する親水性モノマーの複数の単量体単位を重合させる工程であって、それにより複数の該疎水性保護基を含むポリマー粒子を形成させ、親水性モノマーがラジカル重合性モノマーであり、かつ、分散相が、疎水性保護基を有するジアクリルアミド架橋剤をさらに含む、工程；および
該ポリマー粒子を親水性粒子に転換する工程
を含む、粒子を形成する方法。
【請求項２】
親水性粒子がハイドロゲル粒子である、請求項1記載の方法。
【請求項３】
親水性モノマーがアクリルアミドモノマーを含む、請求項1または請求項2記載の方法。
【請求項４】
ポリマー粒子を転換する工程が、該ポリマー粒子から複数の疎水性保護基の少なくとも一部を除去することを含む、請求項1〜3のいずれか一項記載の方法。
【請求項５】
複数の疎水性保護基の少なくとも一部を除去することが、ポリマー粒子から該複数の疎水性保護基の少なくとも一部を酸開裂させることを含む、請求項4記載の方法。
【請求項６】
分散相を形成するように水性懸濁液中の種粒子を促進する工程をさらに含む、請求項1〜5のいずれか一項記載の方法。
【請求項７】
種粒子が、疎水性種ポリマーを含み、方法が、ポリマー粒子を転換した後に種ポリマーを抽出する工程をさらに含む、請求項6記載の方法。
【請求項８】
種粒子が0.6マイクロメートル以下の初期粒径を有する、請求項6記載の方法。
【請求項９】
ラジカル重合性モノマーがビニル系モノマーである、請求項1〜8のいずれか一項記載の方法。
【請求項１０】
疎水性保護基がヒドロキシル保護基を含む、請求項1〜9のいずれか一項記載の方法。
【請求項１１】
疎水性保護基がアミン保護基を含む、請求項1〜10のいずれか一項記載の方法。
【請求項１２】
分散相が、15：1〜1：2の範囲の親水性モノマー：架橋剤の質量比でジアクリルアミド架橋剤を含む、請求項1記載の方法。
【請求項１３】
ジアクリルアミド架橋剤が、低水溶性架橋剤であり、かつ25℃で10g/l未満の水溶性を有する、請求項12記載の方法。
【請求項１４】
ジアクリルアミドが、N,N'-(エタン-1,2-ジイル)ビス(N-(2-((tert-ブチルジメチルシリル)オキシ)エチル)アクリルアミド、N,N'-(2-ヒドロキシプロパン-1,3-ジイル)ジアクリルアミド、それらの保護された誘導体、またはそれらの組み合わせを含む、請求項1記載の方法。
【請求項１５】
ジアクリルアミドが、N,N'-(エタン-1,2-ジイル)ビス(N-(2-((tert-ブチルジメチルシリル)オキシ)エチル)アクリルアミド、N,N'-(N-(2-((tert-ブチルジメチルシリル)オキシ)プロパン-1,3-ジイル)ジアクリルアミド、N,N'-(エタン-1,2-ジイル)ビス(N-(2-((トリエチルシリル)オキシ)エチル)アクリルアミド、N,N'-(N-(2-((トリエチルシリル)オキシ)プロパン-1,3-ジイル)ジアクリルアミド、シリル保護N-[2-(アクリロイルアミノ)-1,2-ジヒドロキシエチル]アクリルアミド、たとえばN,N'(2,3-ビス((トリエチルシリル)オキシ)ブタン-1,4-ジイル)ジアクリルアミド、またはそれらの組み合わせを含む、請求項1記載の方法。
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
ブロックコポリマーを含む組成物であって、前記ブロックコポリマーは、以下：
ａ）モノマー１
【化１】
2015507065.tif 000001
（Ｘは、Ｈまたはメチルであり、Ｒは、任意選択でヒドロキシル若しくは保護ヒドロキシル基により置換され、また任意選択でエーテル結合を含む、Ｃ１〜Ｃ８アルキル及び部分的フッ素化アルキル基、並びにＣ３〜Ｃ８シクロアルキル基からなる群から選択される）の重合から得られる第１ブロック；及び
ｂ）第１ブロックに共有結合した第２ブロックであって、モノマー２
【化２】
2015507065.tif 000002
（Ａｒは、ピリジル基、フェニル基、またはヒドロキシル、保護ヒドロキシル、アセトキシ、Ｃ１〜Ｃ４アルコキシ基、フェニル、置換フェニル、−ＳｉＲ’３、及び−ＯＣ（Ｏ）ＯＲ’からなる群から選択される置換基を含むフェニル基であり、Ｒ’は、Ｃ１〜Ｃ８アルキル基からなる群から選択される）；
の重合から得られる、第２ブロック
を含み、
−モノマー１及びモノマー２が、モノマー１のホモポリマーとモノマー２のホモポリマーの全表面エネルギー値同士の差が１０ダイン／ｃｍを超えるように選択され；
−前記第１ブロックが、５〜９５質量％のブロックコポリマーを含み；
−前記ブロックコポリマーの分子量が、５，０００〜２５０，０００であり；
−前記組成物が、５質量％未満のモノマー１のホモポリマーと５質量％未満のモノマー２のホモポリマーを含む、組成物。
【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
少なくとも1種のジエンエスラトマー、130m2/gに等しいかまたは130m2/gを超えるCTAB比表面積を持つカーボンブラックを少なくとも含む強化フィラー、可塑性オイルおよび更に架橋系を主成分とし、該エラストマーマトリックスに対する該フィラーの分散性が、70に等しいかまたは70を超えるZスコア（該Zスコアは、ISO 11345に準拠して測定される）を持つ、ことを特徴とするゴム組成物。
【請求項２】
少なくとも前記ジエンエスラトマーおよび前記カーボンブラックを含み、かつ80に等しいかまたは80を超えるZスコア（該Zスコアは、ISO 11345に準拠して測定される）を持つ、該エラストマーマトリックスに対する該カーボンブラックの分散性を呈する、第一のマスターバッチから得られる、請求項1記載の組成物。
【請求項３】
前記可塑性オイルの含有率が、前記エラストマー100質量部当たりの部で表して、2〜50phrなる範囲にある、請求項1又は2記載の組成物。
【請求項４】
前記第一のマスターバッチが、ジエンエスラトマーラテックスおよびカーボンブラックの水性分散液から出発する、液相配合により得られる、請求項2又は3記載の組成物。
【請求項５】
前記第一のマスターバッチが、以下の処理段階：
・ジエンエスラトマーラテックスの連続流を、凝固反応器の混合領域に供給する段階、ここで該凝固反応器は、該混合領域と出口との間に伸びている長い凝固領域を画成する；
・加圧下に、フィラーを含む流体の連続流を、前記凝固反応器の混合領域に供給して、凝固した混合物を生成する段階；
・上記段階で得られた凝塊を乾燥して、該第一のマスターバッチを回収する段階、
に従って得られる、請求項4記載の組成物。
【請求項６】
前記ジエンエスラトマーが、ポリブタジエン、天然ゴム、合成ポリイソプレン、ブタジエンコポリマー、イソプレンコポリマーおよびこれらエラストマーの混合物からなる群から選択される、請求項1〜5の何れか1項に記載の組成物。
【請求項７】
シリカによって構成される少なくとも１種の無機フィラーが前記第一のマスターバッチに添加され、かつ前記カーボンブラックの含有率が20〜80なる範囲にあり、該シリカの含有率が、5〜50phrなる範囲にある、請求項2〜6のいずれか1項に記載の組成物。
【請求項８】
少なくとも1種のジエンエスラトマー、130m2/gに等しいかまたは130m2/gを超えるCTAB比表面積を持つカーボンブラックを少なくとも含む強化フィラー、可塑性オイルおよび更に架橋系を含む組成物の製造方法であって、以下の諸工程：
・該ジエンエスラトマーおよび該カーボンブラックを含む第一のマスターバッチを製造する工程、ここで該第一のマスターバッチは、80に等しいかまたは80を超えるZスコア（該Zスコアは、ISO 11345に準拠して測定される）を持つ、該エラストマーマトリックスに対する該フィラーの分散性を呈し、
・該架橋系を除いた該組成物の成分を、ミキサ内で該第一のマスターバッチに配合する工程、ここで該成分全体は、130℃と200℃との間の最大温度に到達するまで、熱機械的に混練される；
・該混合された混合物を、100℃未満の温度まで冷却する工程；
・引き続き該架橋系を配合する工程；
・120℃未満の最大温度まで、全てを混練する工程
を含むことを特徴とする前記方法。
【請求項９】
前記マスターバッチが少なくとも1種のエスラトマーラテックスおよびカーボンブラックの分散体から、液相として製造される、請求項8記載の方法。
【請求項１０】
前記マスターバッチが、以下の連続的段階に従って製造される、請求項9記載の方法：
・ジエンエスラトマーラテックスの連続流を、凝固反応器の混合領域に供給する段階、ここで該反応器は、該混合領域と出口開口との間に伸びている長い凝固領域を画成する；
・加圧下に、フィラーを含む流体の連続流を、該凝固反応器の混合領域に供給して、凝固した混合物を生成する段階；
・上記段階で得られた凝塊を乾燥して、該第一のマスターバッチを回収する段階。
【請求項１１】
少なくとも1種のジエンエスラトマー、130m2/gに等しいかまたは130m2/gを超えるCTAB比表面積を持つカーボンブラックを少なくとも含む強化フィラー、および可塑性オイルを主成分とし、該エラストマーマトリックスに対する該フィラーの分散性が、70に等しいかまたは70を超えるZスコア（該Zスコアは、ISO 11345に準拠して測定される）を持つことを特徴とするマスターバッチ。
【請求項１２】
少なくとも1種の、請求項1〜7の何れか1項に記載の組成物または請求項11記載のマスターバッチを含むことを特徴とする、タイヤまたは半-完成製品。
【手続補正書】
【提出日】平成27年12月9日(2015.12.9)
【手続補正１】
【補正対象書類名】特許請求の範囲
【補正対象項目名】全文
【補正方法】変更
【補正の内容】
【特許請求の範囲】
【請求項１】
冷媒組成物が蒸発して伝熱媒体を冷却し、前記冷却された伝熱媒体がエバポレーターから冷却されるべき本体へ運ばれるエバポレーターを有する冷却装置で冷却を行う方法であって、Ｅ−ＨＦＯ−１４３８ｍｚｚから本質的になる冷媒組成物を、ＨＣＦＣ−１２３での使用に好適であるエバポレーターで蒸発させる工程を含み、前記冷却装置が遠心冷却装置である、上記方法。
【請求項２】
冷媒組成物を含有する遠心冷却装置であって、
前記冷媒組成物がＥ−ＨＦＯ−１４３８ｍｚｚから本質的になり、前記遠心冷却装置がＨＣＦＣ−１２３での使用に好適であること
で特徴づけられる、上記遠心冷却装置。
【請求項３】
ＨＣＦＣ−１２３での使用に好適である遠心冷却装置における、Ｅ−ＨＦＯ−１４３８ｍｚｚから本質的になる組成物の使用。
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
感圧接着剤物品を製造する方法であって、
活性組成物を剥離基材の表面上に密着印刷して、印刷表面を形成し、それによって、前記活性組成物が、同時に前記剥離基材の前記表面を脱湿潤して、前記剥離基材の前記表面上に活性沈積物を形成する工程であって、前記活性組成物が、水性液体媒体に溶解される、又は分散される活性剤を含む、工程と、
前記印刷表面上に感圧接着剤層を配置する工程と、を含む、方法。
【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
組成物ブレンドであって、
少なくとも１種のオレフィン性ブロックコポリマーと、
少なくとも１種のエラストマー性ポリマーと、
少なくとも１種の粘着付与樹脂と、を含み、
前記ブレンドが熱溶融処理可能な感圧性接着剤を構成する、組成物ブレンド。
【請求項２】
前記組成物ブレンドが、
１０〜７０重量％のオレフィン性ブロックコポリマーと、
１〜７０重量％のエラストマー性ポリマーと、
１０〜７０重量％の粘着付与樹脂と、を含む、請求項１に記載の組成物。
【請求項３】
前記エラストマー性ポリマーが、スチレン系ブロックコポリマー、（メタ）アクリレート系コポリマー、又はポリオレフィンエラストマーを含む、請求項１に記載の組成物。
【請求項４】
第１の表面及び第２の表面を有する基材、並びに
前記基材の前記第１表面の少なくとも一部上に配置された熱溶融処理可能な感圧性接着剤ブレンド組成物、を含み、前記ブレンド組成物が、
少なくとも１種のオレフィン性ブロックコポリマーと、
少なくとも１種のエラストマー性ポリマーと、
少なくとも１種の粘着付与樹脂と、を含む、物品。
【請求項５】
前記基材がテープ裏材を含み、前記物品がテープを含み、
ＡＳＴＭ試験方法Ｄ  ３３３０−９０の変法を用いて、ポリプロピレン基材について測定するときに、前記テープが少なくとも１０ニュートン／デシメートルの室温剥離接着力を有する、請求項４に記載の物品。
【手続補正書】
【提出日】平成28年1月25日(2016.1.25)
【手続補正１】
【補正対象書類名】特許請求の範囲
【補正対象項目名】全文
【補正方法】変更
【補正の内容】
【特許請求の範囲】
【請求項１】
基材から有機ペイント硬化物を除去するための非水性の剥離剤組成物であって、
ｉ．水酸化物イオン源、
ｉｉ．少なくとも１５０℃の沸点を有する高沸点アルコール；および
ｉｉｉ．以下の一般式
【化１】
2015507053.tif 000001
［式中、Ｒは、２〜３０個の炭素原子鎖長を有する、直鎖または分岐鎖のアルキル鎖であり、かつ、ｎが、２〜１００の範囲である］により表される少なくとも１種の界面活性剤、
を含んでいて、かつ
添加される水を実質的に含んでいない前記組成物。
【請求項２】
前記基材が、アルミニウム、鋼、亜鉛めっき鋼、マグネシウム、亜鉛、およびエンジニアリングプラスチックである、請求項１に記載の組成物。
【請求項３】
Ｒが、８〜１４個の範囲である、請求項１または２に記載の組成物。
【請求項４】
Ｒが、２−プロピルヘプチル、ｎ−オクタデシル、ｎ−ノナデシル、ｎ−デカデシル、ｎ−ドデシル、−ＣＨ2−ＣＨ（Ｃ3Ｈ9）−（ＣＨ2）4−ＣＨ3、−ＣＨ（ＣＨ3）−（ＣＨ2）9−ＣＨ3、−ＣＨ（ＣＨ3）−（ＣＨ2）10−ＣＨ3、−ＣＨ（ＣＨ3）−（ＣＨ2）11−ＣＨ3およびｎ−Ｃ12−ｎ−Ｃ15から選択される、請求項１から３までのいずれか１項に記載の組成物。
【請求項５】
ｎが、６〜２５の範囲である、請求項１から４までのいずれか１項に記載の組成物。
【請求項６】
前記水酸化物源が、１〜１０質量％の濃度を有するアルカリ金属水酸化物である、請求項１から５までのいずれか１項に記載の組成物。
【請求項７】
前記アルカリ金属水酸化物が、水酸化ナトリウムまたは水酸化カリウムである、請求項１から６までのいずれか１項に記載の組成物。
【請求項８】
前記高沸点アルコールがグリコールエーテルである、請求項１から７までのいずれか１項に記載の組成物。
【請求項９】
前記グリコールエーテルが、トリエチレングリコールまたはテトラエチレングリコールである、請求項１から８までのいずれか１項に記載の組成物。
【請求項１０】
アルコキシル化アルキルフェノール界面活性剤を実質的に含んでいない、請求項１から９までのいずれか１項に記載の組成物。
【請求項１１】
アミンを実質的に含んでいない、請求項１から１０までのいずれか１項に記載の組成物。
【請求項１２】
前記組成物中の含水率が２質量％未満である、請求項１から１１までのいずれか１項に記載の組成物。
【請求項１３】
前記組成物中の含水率が０．５質量％未満である、請求項１から１２までのいずれか１項に記載の組成物。
【請求項１４】
前記アルコール含有率が、９０質量％〜９９質量％の範囲である、請求項１から１３までのいずれか１項に記載の組成物。
【請求項１５】
前記アルミニウム、鋼、亜鉛めっき鋼、マグネシウム、またはプラスチックをベースにする基材から有機ペイント硬化物を剥離する方法であって、以下の工程
ｉ．請求項１から１４までのいずれか１項に記載の剥離剤組成物をタンク装置に準備する工程、
ｉｉ．前記アルミニウム、鋼、亜鉛めっき鋼、マグネシウム、またはプラスチックをベースにする基材を、前記タンク装置内で前記剥離剤組成物と接触させる工程、
ｉｉｉ．該剥離剤組成物を、５０〜２５０℃の温度に、３０〜３００分の時間で加熱する工程、ここで、前記アルミニウム、鋼、亜鉛めっき鋼、マグネシウム、亜鉛またはプラスチックをベースにする基材から前記有機ペイント硬化物が除去または剥離される、
ｉｖ．前記基材表面に高圧水スプレーを適用することにより、前記基材から前記有機ペイントを完全に除去する工程、
を含んでいる前記方法。
【請求項１６】
工程ｉｖで適用される水スプレーが、５０〜２５０ｂａｒの圧力を有している、請求項１５に記載の方法。
【請求項１７】
前記温度が、１００〜１５０℃の範囲であり、前記処理時間が、４５〜１００分の範囲である、請求項１５または１６に記載の方法。
【請求項１８】
前記有機ペイント硬化物が、ポリエステル粉体コーティング、二液性エポキシコーティング、エポキシポリエステル複合粉体コーティングまたはポリエステルＴＧＩＣ粉体コーティングである、請求項１５から１７までのいずれか１項に記載の方法。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
人の口内に維持された場合に、可塑化あるいは分解せずに一体物として口内に接着して残留する、２面を有する接着トローチであって、
（ａ）略ディスク形状であって、二次元において少なくとも５ｍｍの略平坦面を有し、唾液中に放出される成分を含む第１の層を形成するステップと、
（ｂ）略ディスク形状であって、二次元において少なくとも５ｍｍの略平坦面を有し、１０部の水に溶解されると混合物のｐＨが５．５以上となるように十分な量の炭酸カルシウムと混合された少なくとも８０％のアラビアゴムを含む第２の接着層を形成するステップと、
（ｃ）得られるトローチの第１の面全体が接着性となり、第２の面全体が接着性ではないように、前記各層の面同士を互いに接着するステップと、
を含む方法によって製造される、接着トローチ。
【請求項２】
前記炭酸カルシウムの粒子は、湿潤顆粒化プロセスで前記アラビアゴムの粒子に接着され、得られた組み合わせられた粒子は、２層錠剤プレスによって２層トローチにプレス加工される、請求項１記載の接着トローチ。
【請求項３】
前記炭酸カルシウムの粒子は前記アラビアゴムの粒子と乾燥混合され、得られた混合物は２層錠剤プレスによって２層トローチにプレス加工される、請求項１記載の接着トローチ。
【請求項４】
前記炭酸カルシウムの粒子は前記アラビアゴムの粒子と湿潤混合され、得られた混合物は乾燥されて顆粒状に加工され、該顆粒は２層錠剤プレスによって２層トローチにプレス加工される、請求項１記載の接着トローチ。
【請求項５】
前記炭酸カルシウムの粒子は前記アラビアゴムの粒子と湿潤混合され、得られた混合物はシート上で層状に広げられ、該シートは２層トローチに切断加工される、請求項１記載の接着トローチ。
【請求項６】
前記炭酸カルシウムの粒子は前記アラビアゴムの粒子と混合され、得られた混合物は加圧押出し加工されて２層シートが形成され、該２層シートはトローチに切断加工される、請求項１記載の接着トローチ。
【請求項７】
個別のトローチに分離するように前記シートをホットスクイッシュするダイスによる前記シートのホットプレスによって形成され、続いて冷却されて製造される、請求項６記載の接着トローチ。
【請求項８】
前記接着層は、重力に抗して本接着トローチの重量の３倍を保持するのに十分な接着力で人の口内の上側に接着する、請求項１記載の接着トローチ。
【請求項９】
前記接着層は、重力に抗して本接着トローチの重量に加えて６８０ｍｇを保持するのに十分な接着力で人の口内の上側に接着する、請求項１記載の接着トローチ。
【請求項１０】
人の口内に維持された場合に、可塑化あるいは分解せずに一体物として口内に接着して残留する、２面を有する接着トローチであって、
（ａ）略ディスク形状であって、二次元において少なくとも５ｍｍの略平坦面を有し、唾液内に放出される成分を含んだ第１の層と、
（ｂ）略ディスク形状であって、二次元において少なくとも５ｍｍの略平坦面を有し、１０部の水に溶解されると混合物のｐＨが５．５以上となるように十分な量の炭酸カルシウムと混合された少なくとも８０％のアラビアゴムを含む第２の接着層と、
を含んでおり、
（ｃ）得られるトローチの１面全体が接着性となり、且つ他面全体が接着性でないように、前記の層の面同士が互いに接着されて形成される、接着トローチ。
【請求項１１】
人の口内に維持された場合に、可塑化あるいは分解せずに一体物として口内に接着して残留し、且つ二次元において少なくとも５ｍｍである接着トローチであって、
（ａ）唾液中に放出される成分を含む第１の層と、
（ｂ）１０部の水に溶解されると混合物のｐＨが５．５以上となるように十分な量の炭酸カルシウムと混合された少なくとも８０％のアラビアゴムを含む第２の接着層と、
を含む、接着トローチ。
【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
接着剤であって：
ポリマーラテックスと；
テルペン、リモネン、ポリリモネン、カルボン、α−ピネン、シトラール、ジペンテン、１，８−シネオール、ユーカリプトール、シトロネロール、ゲラニオール、シトロネレン、テルピネン−４−オール、ボルネオール、ショウノウ、グアユール樹脂、およびこれらの組み合わせからなる群から選択される浸透剤と；
補強充填剤と；
を含み、３５〜６５％の固形分および９〜１２のｐＨを有する接着剤。
【請求項２】
ポリマーラテックスのｐＨが、約７〜約１４の範囲内である、請求項１に記載の接着剤。
【請求項３】
ポリマーラテックスの固形分が、約１０％〜約９０重量％の範囲内である、請求項１または２に記載の接着剤。
【請求項４】
約２〜約１３のｐＨおよび約３０〜約８０％の固形分を有する粘着付与剤をさらに含む、請求項１〜３のいずれか１項に記載の接着剤。
【請求項５】
ポリマーラテックスが、水と、ポリクロロプレン、ブチルゴム、ヘベアまたは非ヘベア天然ゴム、ポリイソプレン、ポリブタジエン、ニトリルゴム、ポリ（スチレン−ブタジエン）、およびこれらの組み合わせから選択されるポリマーとを含む、請求項１〜４のいずれか１項に記載の接着剤。
【請求項６】
ポリマーラテックスが、水と、ポリクロロプレン、ブチルゴム、ヘベアまたは非ヘベア天然ゴム、ポリイソプレン、ポリブタジエン、ニトリルゴム、およびこれらの組み合わせから選択されるポリマーとを含む、請求項１〜５のいずれか１項に記載の接着剤。
【請求項７】
非イオン性界面活性剤安定剤をさらに含む、請求項１〜６のいずれか１項に記載の接着剤。
【請求項８】
ＶＯＣ−含有または溶出溶媒を実質的または完全に含まない、請求項１〜７のいずれか１項に記載の接着剤。
【請求項９】
製造品であって：
ポリクロロプレン、ブチルゴム、天然ゴム、グアユールゴム、ポリイソプレン、ポリブタジエン、ニトリルゴム、ポリ（スチレン−ブタジエン）、およびこれらの組み合わせからなる群から選択されるエラストマーを含むエラストマーゴム部品；
を含み、エラストマーゴム部品が、第２のゴム部品または該エラストマーゴム部品の別の部分との界面において接合されている、製造品であって；
該界面が接着剤の層を含み、該接着剤が：ポリマーラテックスと；テルペン、ポリリモネン、リモネン、カルボン、α−ピネン、シトラール、ジペンテン、１，８−シネオール、ユーカリプトール、シトロネロール、ゲラニオール、シトロネレン、テルピネン−４−オール、ボルネオール、ショウノウ、グアユール樹脂、およびこれらの組み合わせからなる群から選択される浸透剤と；補強充填剤とを含む、製造品。
【請求項１０】
ゴム製空気ばねまたはタイヤ部品である、請求項９に記載の製造品。
【請求項１１】
接着剤が、３５〜６５％の固形分および９〜１２のｐＨを有する、請求項９または１０に記載の製造品。
【請求項１２】
ポリマーラテックスと；
テルペン、ポリリモネン、リモネン、カルボン、α−ピネン、シトラール、ジペンテン、１，８−シネオール、ユーカリプトール、シトロネロール、ゲラニオール、シトロネレン、テルピネン−４−オール、ボルネオール、ショウノウ、グアユール樹脂、およびこれらの組み合わせからなる群から選択される浸透剤と；
補強充填剤と
を含む接着剤組成物を一緒に混合する工程を含む方法。
【請求項１３】
補強充填剤が、水性分散液として添加される、請求項１２に記載の方法。
【請求項１４】
工程を通して、前記組成物において３５〜６５％の固形分および９〜１２のｐＨを維持することをさらに含む、請求項１２または１３に記載の方法。
【請求項１５】
接着剤を未硬化ゴム組成物に適用する工程をさらに含む、請求項１２〜１４のいずれか１項に記載の方法。